(57)【要約】      （修正有）【課題】金具や把手片等が外れてしまうという故障が起きず、前面板がそれほど厚くなくても手掛かりとなる段部の強度を確保でき、小型家具の前面板にも設置し易い家具用引手を提供すること、また、家具の前面板から出張ることなく、引っ掛かりにくく、手入れし易く、美しいデザインを施すことのできる家具用引手を提供する。【解決手段】引出し２の前面板３の中央部に形成され、前面板の外側から掘り込まれた主凹部４と、前面板の内側から掘り込まれた副凹部５を有しており、主凹部の上側の一部と副凹部の下側の一部が重複している家具用引手１で構成されている。主凹部の外側から片手の指を挿入し、指先を副凹部の底面７に掛けて手前に引っ張れば、引出しを開けることができる。【選択図】図１
0003233594.tif 000002
【実用新案登録請求の範囲】
【請求項１】
引出しの前面板の外側に形成されている主凹部と、
前記前面板の内側に形成されている副凹部を備え、
前記主凹部と前記副凹部には、それぞれ一部だけに重なり部が形成されており、
前記主凹部の外側から前記重なり部に指先を挿入可能であるとともに、前記副凹部の前記重なり部と隣接する底面に前記指先を掛けることが可能である
ことを特徴とする家具用引手。
【請求項２】
前記主凹部の前記重なり部以外の部分に装着可能な装飾部材を有する
ことを特徴とする請求項１記載の家具用引手。
【請求項３】
前記副凹部の前記重なり部より内側に閉塞部材が設けられている
ことを特徴とする請求項１又は２記載の家具用引手。
【考案の詳細な説明】
【技術分野】
【０００１】
本考案は、家具の引出し等に設けられる家具用引手の構造に関する。
【背景技術】
【０００２】
家具用引手としては、家具の引出しの前面、前側の上辺付近又は前側の下辺付近に、把手となる金具や木製又はプラスチック製の成形体を接着若しくは裏からネジ止めで取り付けたり、段差のある凹部を設けたりしたものが一般的である。
例えば、特許文献１（実公昭５２−１４１８８号公報）には、引出し(3)の前面板(4)の中央部に凹陥(5)が穿設してあり、凹陥(5)の開口部の周囲に透孔(2)を有する把手片(1)を固着して段部(6)を形成したものが記載され（特に、第１〜３図及び第１頁左欄第２４〜３４行を参照）、特許文献２（実開平５−４９４０号公報）には、引出し(2)の前板(4)の上辺部中央の縁部に凹部(5)を形成して、凹部(5)の縁部(5a)に指先が引掛かるようにするとともに、凹部(5)の背部に被覆板(6)を配置して、引出し(2)の内部が外部から見透し不能にしたものが記載され（特に、第１，３図及び段落０００８を参照）、特許文献３（特許第５８４００８５号公報）には、引出し(15)の正面板(22)の主板(29)前面の中央位置に把手窓(18)が配置され、把手窓(18)は手前側よりも奥側で広がった断面段付き形状になっている点や主板(29)の裏面側に装飾板挿入室(19)が形成され、装飾板(20)が出し入れ可能に収納される点が記載されている（特に、図２〜５及び段落0017、0018、0020、0023を参照）。
【０００３】
ところが、引出しの前面等に金具や木製又はプラスチック製の成形体を取り付けて把手とするものや特許文献１の引出し用把手装置は、使用中や家具を移動したり据え付けたりするときに、金具や把手片(1)が外れてしまうという故障が起きるおそれがあるという問題があり、特許文献２の取手構造は、凹部(5)の縁部(5a)に指先が引掛かるようにしているが、前板(4)が薄い場合には縁部(5a)が非常に薄くなって強度を確保できないため、適用し難いという問題があり、特許文献３の引出しも、指を把手窓(18)の縁部に引っ掛けて引っ張るようにしているため、特許文献２の取手構造と同様に主板(29)が薄い場合には適用し難いという問題があった。
【先行技術文献】
【特許文献】
【０００４】
【特許文献１】実公昭５２−１４１８８号公報（実開昭４７−３７０２８号公報）
【特許文献２】実開平５−４９４０号公報
【特許文献３】特許第５８４００８５号公報（特開２０１４−１４４１９号公報）
【考案の概要】
【考案が解決しようとする課題】
【０００５】
本考案の課題は上記の問題を解決し、使用中や家具を移動したり据え付けたりするときに、金具や把手片等が外れてしまうという故障が起きるおそれがなく、かつ、前面板がそれほど厚くなくても手掛かりとなる段部の強度を確保でき、大型の家具だけでなく小型の家具の前面板にも設置し易い家具用引手の提供を第１の課題としている。
また、家具の前面板から出張ることなく、引っ掛かりにくく、手入れし易く、美しいデザインを施すことのできる家具用引手の提供を第２の課題としている。
【課題を解決するための手段】
【０００６】
請求項１に係る考案の家具用引手は、
引出しの前面板の外側に形成されている主凹部と、
前記前面板の内側に形成されている副凹部を備え、
前記主凹部と前記副凹部には、それぞれ一部だけに重なり部が形成されており、
前記主凹部の外側から前記重なり部に指先を挿入可能であるとともに、前記副凹部の前記重なり部と隣接する底面に前記指先を掛けることが可能であることを特徴とする。
【０００７】
請求項２に係る考案は、請求項１に記載されている家具用引手において、
前記主凹部の前記重なり部以外の部分に装着可能な装飾部材を有することを特徴とする。
【０００８】
請求項３に係る考案は、請求項１又は２記載の家具用引手において、
前記副凹部の前記重なり部より内側に閉塞部材が設けられていることを特徴とする。
【考案の効果】
【０００９】
請求項１に係る考案の家具用引手は、引出しの前面板の外側に形成されている主凹部、  前面板の内側に形成されている副凹部及び主凹部と副凹部の一部だけに形成されている重なり部から構成されており、前面板から出張ることなく、引っ掛かりにくいので、使用中や家具を移動したり据え付けたりするときに、取れたり、外れたり、抜けたり、折れたり、割れたりすることがなく、故障が起きるおそれがない。
また、主凹部の外側から重なり部に指先を挿入可能であるとともに、副凹部の重なり部と隣接する底面に指先を掛けることが可能であるので、前面板の厚さがそれほど厚くなくても手掛かりとなる部分の強度を確保でき、大型の家具だけでなく小型の家具の前面板にも設置し易い家具用引手を提供することができる。
さらに、金具や成形体同士が擦れ合ったり、金具や成形体が引出しの前面板にぶつかったりすることで音が発生することもない。
【００１０】
請求項２に係る考案によれば、請求項１に係る考案の家具用引手による効果に加えて、主凹部の重なり部以外の部分に装着可能な装飾部材を有しているので、シンプルな構成にもかかわらず、美しいデザインを施すことができ、見た目に美しく、かつ、風格を感じさせることができる。
また、複数の引出しを有する家具である場合に、装飾部材を複数用意しておき、各引出しに異なる装飾部材を装着すれば、複数の引出しを装飾部材によって区別し易くなる。
【００１１】
請求項３に係る考案によれば、請求項１又は２に係る考案の家具用引手による効果に加えて、副凹部の重なり部より内側に閉塞部材が設けられているので、引出しの外部と内部を遮断することができ、ほこりや虫等が引出しの内部に進入することを防止できる。
【図面の簡単な説明】
【００１２】
【図１】実施例に係る家具用引手の一部を切り欠いた斜視図。
【図２】実施例に係る家具用引手の正面図、背面図及び側断面図。
【図３】各種変形例に係る家具用引手の側断面図。
【考案を実施するための形態】
【００１３】
以下、実施例によって本考案の実施形態を説明する。
【実施例】
【００１４】
図１は実施例に係る家具用引手１の一部を切り欠いた斜視図であり、図２は実施例に係る家具用引手１の正面図（ａ）、背面図（ｂ）及び側断面図（ｃ）である。
実施例に係る家具用引手１は、図１のように引出し２の前面板３（縦約７０ｍｍ、横約２５０ｍｍ、厚さ約２０ｍｍ）の中央部に形成されており、図２（ａ）及び（ｃ）に示すように、前面板３の外側からルーターを用いて掘り込まれた直径約４０ｍｍ、深さ約１５ｍｍの球体の一部からなる主凹部４を有するとともに、図２（ｂ）及び（ｃ）に示すように、前面板３の内側からルーターを用いて掘り込まれた縦約１７ｍｍ、横約２５ｍｍ、深さ約１５ｍｍの直方体状の副凹部５を有しており、主凹部４の上側の一部と副凹部５の下側の一部は重複し、重なり部６が形成されている。
そして、図２（ａ）及び（ｃ）から分かるように、重なり部６を正面から見ると上側は弧状、下側は直線状で高さ約１０ｍｍ、幅約２５ｍｍとなり、指先が通過する部分の間隔は約１５ｍｍとなるので、片手の指２〜３本を挿入するのに程良い形状となる。
さらに、重なり部６の周囲に位置する前面板３の角部には面取りが施してあり、主凹部４の外側から重なり部６に指を挿入した時、副凹部５における重なり部６の上方に位置する底面７に対してスムーズに指先を掛けることができる。
【００１５】
主凹部４の中央部のやや下側には、図２（ａ）及び（ｃ）に示すように、直径約１８ｍｍ、深さ約４ｍｍの円形状の装飾用凹部８が形成されており、装飾用凹部８には中央部が膨らんでおり最も厚い部分が約４ｍｍの装飾板９が装着されている。
また、図２（ｃ）から分かるように、装飾用凹部８及び装飾板９の底面は前面板３の背面に対して約８度傾けてあり、装飾板９の上部が背面側に引っ込んでいる。
そのため、家具用引手１に指を挿入した時、指先が装飾板９に当たることなく底面７に掛かるので、スムーズに引出し２を開けることができる。
そして、複数の色やデザインの装飾板９を用意しておけば、利用者の好みに応じたものを装着することができ、複数の引出しを有する家具の場合には、各引出しに異なる種類の装飾板９を装着することで、複数の引出しが装飾板９によって区別し易くなる。
さらに、通常は接着剤等によって装飾用凹部８に装飾板９を固着させるが、装飾板９を嵌合させたり、裏側からネジ止めしたりすれば、使用後に装飾板９を変更したり、入れ替えたりすることが可能となる。
【００１６】
実施例の変形例を列記する。
なお、図３（ａ）〜（ｊ）は、各種変形例に係る家具用引手の側断面図である。
（１）実施例の主凹部４は、直径約４０ｍｍ、深さ約１５ｍｍの球体の一部からなっていたが、サイズは前面板３の大きさや厚さに応じて適宜変更可能であり、形状も球体の一部に限らず、図３（ａ）に示すような直方体状であっても良く、さらに、多角柱状、円錐台状又は角錐台状であっても良い。
（２）実施例の副凹部５は、縦約１７ｍｍ、横約２５ｍｍ、深さ約１５ｍｍの直方体状であったが、サイズは前面板３の大きさや厚さに応じて適宜変更可能であり、形状も直方体状に限らず、球体の一部、多角柱状、円錐台状又は角錐台状であっても良い。
（３）実施例においては、重なり部６を正面から見ると上側は弧状、下側は直線状で高さ約１０ｍｍ、幅約２５ｍｍであり、開口部の最大長さは約１７ｍｍであったが、これらは、前面板３の厚さ並びに主凹部４及び副凹部５のサイズや形状に応じて変化する。
ただし、指先を底面７に掛けて引出しを開けるためには、重なり部６に指を最低１本挿入しなければならないので、重なり部６の幅は１５ｍｍ以上、指先が通過する部分の間隔は１２ｍｍ以上必要であり、同幅は２０ｍｍ以上、同間隔は１５ｍｍ以上が望ましい。
また、引出しが大きく重い場合には、指を３本掛けられる大きさとする必要があるため、同幅は５０〜７０ｍｍ、同間隔は２０〜２５ｍｍとした方が良い。
【００１７】
（４）実施例においては、主凹部４の中央部のやや下側に、円形状の装飾用凹部８が形成され、装飾用凹部８に装飾板９が装着されていたが、これらは、指を挿入し指先を底面７に掛けて引出しを開ける操作に直接関係する構成ではないので、設けなくても良い。
また、装飾用凹部８及び装飾板９のサイズや形状は主凹部４の大きさや形状に応じて適宜変更可能である。
さらに、図３（ｂ）のように、装飾用凹部８を設けずに装飾部材１０を主凹部４の奥に直接取り付けても良く、図３（ｃ）のように、主凹部４の内側に前面板３を貫通する装飾用孔部１１を形成し、装飾体１２を装着しても良い。
（５）実施例においては、副凹部５を主凹部４の上方に設け、主凹部４の上側の一部と副凹部５の下側の一部を重複させて重なり部６を形成したが、図３（ｄ）のように、副凹部１３を主凹部４の下方に設け、主凹部４の下側の一部と副凹部１３の上側の一部を重複させて重なり部１４を形成しても良い。そうした場合、主凹部４の下側において指先を下に向けて挿入し、副凹部１３の底面に指先を掛けて引出しを引っ張ることができる。
また、図３（ｅ）のように、実施例の重なり部６に加えて、副凹部１３を主凹部４の下方に設け、２つの重なり部６、１４を形成しても良い。
【００１８】
（６）実施例においては、主凹部４と副凹部５が重なり部６を介してつながり、前面板３を貫通する通路が形成されるため、ほこりや虫等が引出し内部に進入するおそれがある。
そのため、図３（ｆ）〜（ｈ）のように、副凹部５又は副凹部１３の内側に閉塞部材１５を設けたり、図３（ｉ）及び（ｊ）のように、前面板３の内側に閉塞板１６を設けたりして、前面板３を貫通する通路を塞ぎ、引出しの外部と内部を遮断した方が良い。
なお、図３（ｆ）及び（ｇ）では、それぞれ実施例及び変形例（ｃ）の副凹部５の最も内側に閉塞部材１５を設け、図３（ｈ）では変形例（ｄ）の副凹部１３の最も内側に閉塞部材１５を設けたが、閉塞部材１５は重なり部６、１４より内側に設けてあれば良い。
また、図３（ｉ）及び（ｊ）は、それぞれ実施例及び変形例（ｄ）の前面板３の内側全面に閉塞板１６を設けたものであるが、特に、変形例（ｄ）の場合には、副凹部５及び装飾用孔部１１を合わせて塞ぐことができるので作業上有利である。そして、その有利さは前面板３を貫通する通路が複数形成される変形例（ｅ）の場合等でも同様である。
（７）変形例（ｆ）〜（ｈ）においては閉塞部材１５を用い、変形例（ｉ）及び（ｊ）においては閉塞板１６を用いて前面板３を貫通する通路を塞いだが、図３（ｋ）のように、主凹部４の内側の面から副凹部５の内部に延び、副凹部５を塞ぐことのできる装飾兼閉塞板１７を設けても良い。そして、変形例（ｋ）によれば、装飾兼閉塞板１７の表面に適当な色やデザインを設けるだけで、装飾板９、装飾部材１０又は装飾体１２の機能と、閉塞部材１５や閉塞板１６の機能を合わせて発揮することができる。
【符号の説明】
【００１９】
１  家具用引手      ２  引出し      ３  前面板      ４  主凹部      ５  副凹部
６  重なり部      ７  底面      ８  装飾用凹部      ９  装飾板
１０  装飾部材      １１  装飾用孔部      １２  装飾体      １３  副凹部
１４  重なり部      １５  閉塞部材      １６  閉塞板      １７  装飾兼閉塞板
【図１】
0003233594.tif 000003
【図２】
0003233594.tif 000004
【図３】
0003233594.tif 000005